(57)【要約】    【課題】  各段の端子に接続される配線の短絡を防止するとともに、端子台を横方向に複数列配置してもコンパクトにでき、端子への配線接続作業も容易にする。    【解決手段】  端子取付板２４を下向き面と上向き面とを交互に連続するように折り曲げ形成し、上段の上向き面２６Ｕに単相１００Ｖ用の２個１組の端子３１を２組配列した取付板３２を取り付け、下段の上向き面２６Ｄに３相２００Ｖ用の３個１組の端子３５を２組配列した取付板３６を取り付ける。上段の下向き面２５Ｕにコンセント３４を設ける。【選択図】    図１
2006196407.tif 000002
【特許請求の範囲】
【請求項１】
端子取付板に上下方向に多段に端子を配列する端子台装置において、前記端子取付板を下向き面と上向き面とが交互に連続するように折り曲げ形成し、前記各上向き面に前記端子をそれぞれ配列したことを特徴とする端子台装置。
【請求項２】
前記下段の上向き面に配列された前記端子の最大高さが前記上段の上向き面に配列された前記端子の配線接続位置よりも低いことを特徴とする請求項１記載の端子台装置。
【請求項３】
前記下向き面にコンセントを設けたことを特徴とする請求項１又は２に記載の端子台装置。
【発明の詳細な説明】
【技術分野】
【０００１】
本発明は、発電機や配電盤等の端子台装置に関する。
【背景技術】
【０００２】
例えば、エンジン発電機の端子台装置は、平板状の端子取付板に上下方向に多段に端子を配列するものが知られている（例えば、特許文献１参照。）。また、他の発電装置でも、垂直状態に設けられた端子取付板に多段に配列した端子間に仕切り板を設けたものもある（例えば、特許文献２参照。）。
【特許文献１】特開２０００−１８４７９６公報  図４
【特許文献２】特開２０００−９８０８４公報  第３頁及び第８頁  図８及び図１１
【発明の開示】
【発明が解決しようとする課題】
【０００３】
ところが、前者の構造では、上段の端子に接続された配線が下段の端子に接触して短絡するのを防止するために各段の端子間にスペースを設けなければならない。このため、上下方向のスペースが必要となって端子台装置全体が縦方向に大型化する。また、後者の構造では、配線を横方向に向けて接続しなければならず、端子台の両側に配線を通すためのスペースが必要となる。さらに、端子台を横方向に複数列配置する場合には、各端子台間に配線用のスペースを確保しなければならないから、端子台装置全体が横方向に大型化する。
【０００４】
そこで本発明は、各段の端子に接続される配線の短絡が防止できるとともに、端子台を上下方向に複数列配置してもコンパクトにでき、端子への配線接続作業も容易な端子台装置を提供することを目的としている。
【課題を解決するための手段】
【０００５】
上記した目的を達成するため、本発明は、端子取付板に上下方向に多段に端子を配列する端子台装置において、前記端子取付板を下向き面と上向き面とが交互に連続するように折り曲げ形成し、前記各上向き面に前記端子をそれぞれ配列したことを特徴としている。また、前記下段の上向き面に配列された前記端子の最大高さが前記上段の上向き面に配列された前記端子の配線接続位置よりも低いこと、前記下向き面にコンセントを設けることが好ましい。
【発明の効果】
【０００６】
以上説明したように、本発明は、上段の端子に接続された配線が下段の端子に接触することがなくなって短絡が防止できるとともに、上下の端子間の間隔を短くできる。また、端子取付板の前面に配線を引き出すからコンパクトな構造となり、端子台を上下方向に複数列配置しても装置全体を小型化できる。さらに、上向き面に端子を配列するから端子への配線接続作業が容易に行える。さらにまた、コンセントが下向き面に設けられているから、プラグ差し込み部が下向きになり雨水が浸入しにくい。
【発明を実施するための最良の形態】
【０００７】
以下、本発明を可搬式エンジン発電機の端子台装置に適用した実施形態例を図面に基づいて説明する。可搬式エンジン発電機１は、床台２上の中央部分にエンジン３を、一方の端部側（図３において左側）に該エンジン３により駆動される発電機４をそれぞれ設置している。前記エンジン３は、前記床台２に横架された根太部材５にマウント６を介して支持され、前記発電機４は、前記床台２に横架された根太部材７にマウント８を介して支持されている。前記エンジン３は、発電機側上方にエアクリーナー９を、他方の端部側（図３において右側）にラジエータ１０をそれぞれ配置している。前記エンジン３の燃料タンク（図示せず）は、前記床台２内に配置されている。そして、前記エンジン３、前記発電機４、前記エアクリーナー９及び前記ラジエータ１０は、前記床台２に取り付けられた防音構造のケーシング１１で覆われている。
【０００８】
該ケーシング１１には、正面壁の中央部分に内部点検用の扉１２が、前記発電機４側の上部に端子台装置１３が、前記ラジエータ１０側の下部に前記燃料タンクの給油口１４を突出させた凹部１５がそれぞれ設けられている。前記端子台装置１３下方のケーシング１１と前記扉１２にはそれぞれ前記ケーシング１１内部への空気吸入口１６が形成されている。また、ケーシング１１の天井板の中央部分の凹部（図示せず）には、可搬式エンジン発電機１をクレーン等で吊り上げるためのバー状の吊り金具（図示せず）が設けられるとともに、ケーシング１１の正面壁と側壁及び背面壁と側壁の中央部分には凹部１７が形成され、該凹部１７に、可搬式エンジン発電機１をトラック等の運搬車に固定するためのロープ掛け金具１８が鉛直方向に設けられている。
【０００９】
前記端子台装置１３は、前記発電機４で発電された電気を出力するもので、前記ケーシング１１の正面壁に設置された端子台室２１に設けられ、該端子台室２１の前面は、感電防止のためにカバー２２で覆われている。該カバー２２は、上端を前記ケーシング１１にヒンジ結合して上下方向に開閉するもので、下端は端子台室２１下端よりも短く形成され、この下端と端子台室２１下端との隙間２３から各端子に接続された配線が引き出される。前記端子台室２１内には、前記カバー２２との間に配線を配置するための間隔を存して端子取付板２４が設けられている。
【００１０】
この端子取付板２４は、下向き面２５と上向き面２６とを交互に連続するように折り曲げ形成されたもので、本形態例では、１枚の板を折り曲げて下向き面２５と上向き面２６とを２段形成したものを用いているが、下向き面２５と上向き面２６の数はこれに捕らわれるものではない。また、下向き面２５と上向き面２６とを形成した板を複数段接合して端子取付板を形成したものでもよい。なお、以下の説明において、上段の下向き面には２５Ｕ、上向き面には２６Ｕ、下段の下向き面には２５Ｄ、上向き面には２６Ｄの符号を付して説明する。前記上段の上向き面２６Ｕには、単相１００Ｖ用の２個１組の端子３１を２組配列した取付板３２がボルト３３にて取り付けられ、下向き面２５Ｕには、前記２組の端子３１，３１と位相をずらした位置に２個のコンセント３４が設けられている。また、前記下段の上向き面２６Ｄには、３相２００Ｖ用の４個１組の端子３５を配列した取付板３６がボルト３７にて取り付けられている。前記下段の上向き面２６Ｄに配列された前記端子３５の最大高さは、前記上段の上向き面２６Ｕに配列された前記端子３１の配線接続位置よりも低い位置になるように、前記上段の上向き面２６Ｕと前記下段の上向き面２６Ｄとの段差が設定されている。なお、前記端子取付板２４は、前記カバー２２を閉じた状態で、前記隙間２３から手を入れても、前記端子３５に手が届かないように、前記下段の上向き面２６Ｄの端部より下方の長さを設定されている。
【００１１】
前記上段の各端子３１には単相１００Ｖ用の細い配線４１が、前記下段の各端子３５には３相２００Ｖ用の太い配線４２がそれぞれ接続され、前記コンセント３４にはプラグ４３を介して配線４４が接続される。前記上段の各端子３１に接続された配線４１は、前記下段の端子３５の最大高さが前記上段の端子３１の配線接続位置よりも低い位置にあることから、下段の端子３５に接触することなく前記隙間２３からケーシング１１外へ引き出され、また、前記コンセント３４に接続されたプラグ４３の配線４４も下段の端子３５に接触することなく前記隙間２３からケーシング１１外へ引き出される。
【００１２】
したがって、各配線４１，４２，４４の短絡を防止できるとともに、上下の端子３１，３５間の間隔を短くできる。また、前記端子取付板２４の前面から各配線４１，４２，４４を引き出せるので装置全体がコンパクトなものとなる。さらに、上向き面２６Ｕ，２６Ｄにそれぞれ端子３１，３５を配列するから雨水が溜まりにくい。さらにまた、上向き面２６Ｕ，２６Ｄにそれぞれ配列された端子３１，３５に配線を接続するから接続作業時に無理のない姿勢で工具が使用できる。しかも、上段の端子３１に単相１００Ｖ用の細い配線４１を接続し、下段の端子３５に３相２００Ｖ用の太い配線４２を接続するから、上段の端子３１に配線４１を接続した後に下段の端子３５に配線４２を接続する場合に、上段の配線４１が邪魔にならない。また、前記コンセント３４が下向き面２５Ｕに設けられているから、プラグ差し込み部が下向きになり雨水が浸入しにくい。
【００１３】
なお、上記実施形態例では、本発明を可搬式エンジン発電機の端子台装置に適用したもので説明したが、他の発電機や配電盤にも本発明は適用可能である。
【図面の簡単な説明】
【００１４】
【図１】端子台装置の断面図
【図２】端子台装置の正面図
【図３】可搬式エンジン発電機の正面図
【符号の説明】
【００１５】
１…可搬式エンジン発電機、３…エンジン、４…発電機、１１…ケーシング、１３…端子台装置、２１…端子台室、２２…カバー、２４…端子取付板、２５Ｕ…上段の下向き面、２５Ｄ…下段の下向き面、２６Ｕ…上段の上向き面、２６Ｄ…下段の上向き面、３１，３５…端子、３４…コンセント、４１，４２，４４…配線
【図１】
2006196407.tif 000003
【図２】
2006196407.tif 000004
【図３】
2006196407.tif 000005